(57)【要約】【課題】タイムリーな文書を携帯端末装置に提供することで投稿サイトへの投稿を容易にした文書投稿支援システムを提供する。【解決手段】音声信号化された識別情報である音響ＩＤを放音する放音装置、携帯端末装置からのアクセスに対応して文書を含むコンテンツを返信するコンテンツサーサーバ、放音装置によって放音された音響ＩＤを収音する収音部と、収音された音響ＩＤから識別情報を復調する復調部と、復調された識別情報を用いてコンテンツサーバにアクセスしてコンテンツを取得するコンテンツ取得部と、取得したコンテンツに含まれていた文書を文書投稿サーバに投稿する投稿処理部と、を備えた携帯端末装置を設ける。【選択図】図１
2013008109.tif 000002
【特許請求の範囲】
【請求項１】
携帯端末装置と放音装置とが音響的に接続され、前記携帯端末装置とコンテンツサーバとが情報通信ネットワークで接続された文書投稿支援システムであって、
前記放音装置は、音声信号化された識別情報である音響ＩＤを放音し、
前記コンテンツサーバは、前記携帯端末装置からのアクセスに対応して、文書の投稿を受け付ける文書投稿サーバに投稿するための文書を含むコンテンツを前記携帯端末装置に返信し、
前記携帯端末装置は、前記放音装置によって放音された音響ＩＤを収音する収音部と、収音された音響ＩＤから前記識別情報を復調する復調部と、復調された識別情報を用いて前記コンテンツサーバにアクセスし、前記コンテンツを取得するコンテンツ取得部と、取得したコンテンツに含まれていた文書を、前記文書投稿サーバに投稿する投稿処理部と、を備えた
文書投稿支援システム。
【請求項２】
前記携帯端末装置と情報ネットワークで接続された識別情報解決サーバをさらに有し、
前記識別情報解決サーバは、前記携帯端末装置から前記識別情報を受信して、この識別情報に対応する前記コンテンツサーバのアドレス情報を前記携帯端末装置に返信し、
前記コンテンツ取得部は、前記識別情報を前記識別情報解決サーバに送信して前記コンテンツサーバのアドレス情報を取得し、取得したアドレス情報を用いて前記コンテンツサーバにアクセスする
請求項１に記載の文書投稿支援システム。
【請求項３】
前記携帯端末装置と情報ネットワークで接続されたポータルサーバをさらに有し、
前記ポータルサーバは、前記携帯端末装置から前記識別情報を受信して、この識別情報に対応する前記識別情報解決サーバのアドレス情報を前記携帯端末装置に返信し、
前記コンテンツ取得部は、前記識別情報を前記ポータルサーバに送信して前記識別情報解決サーバのアドレス情報を取得し、取得したアドレス情報を用いて前記識別情報解決サーバにアクセスする
請求項２に記載の文書投稿支援システム。
【請求項４】
前記コンテンツサーバは、クーポンなどの画像および該画像を取得した旨の文書含むコンテンツを送信する請求項１乃至請求項３のいずれかに記載の文書投稿支援システム。
【請求項５】
前記放音装置は、演奏の楽音に前記音響ＩＤを重畳して放音する装置であり、
前記コンテンツサーバは、前記演奏の印象を表す文書を含むコンテンツを送信する請求項１乃至請求項３のいずれかに記載の文書投稿支援システム。
【請求項６】
前記放音装置は、展示物を有する施設に設置され、
前記コンテンツサーバは、前記展示物の印象を表す文書を含むコンテンツを送信する請求項１乃至請求項３のいずれかに記載の文書投稿支援システム。
【請求項７】
前記放音装置は、放送を受信する受信装置であり、
前記コンテンツサーバは、前記放送の内容を表す文書を含むコンテンツを送信する請求項１乃至請求項３のいずれかに記載の文書投稿支援システム。
【請求項８】
前記投稿処理部は、前記コンテンツサーバから取得した文書を前記文書投稿サーバに投稿する前に編集する文書編集部をさらに備えた請求項１乃至請求項７のいずれかに記載の文書投稿支援システム。
【請求項９】
携帯端末装置の制御部を
収音された音声から音声信号化された識別情報である音響ＩＤを抽出し、この音響ＩＤから前記識別情報を復調する復調手段、
復調された識別情報を用いてコンテンツサーバにアクセスし、文書の投稿を受け付ける文書投稿サーバに投稿するための文書を含むコンテンツを取得するコンテンツ取得手段、
取得したコンテンツに含まれていた文書を、前記文書投稿サーバに投稿する投稿処理手段、
として機能させる文書投稿支援プログラム。
【請求項１０】
携帯端末装置の制御部を
収音された音声から音声信号化された識別情報である音響ＩＤを抽出し、この音響ＩＤから前記識別情報を復調する復調手段、
復調された識別情報を用いてコンテンツサーバにアクセスし、文書の投稿を受け付ける文書投稿サーバに投稿するための文書を含むコンテンツを取得するコンテンツ取得手段、
取得したコンテンツに含まれていた文書を、前記文書投稿サーバに対して文書を投稿する機能を持つ別のプログラムに転送する手段、
として機能させる文書投稿支援プログラム。
【発明の詳細な説明】
【技術分野】
【０００１】
この発明は、音響を用いて投稿用の文書を携帯端末装置に提供する文書投稿支援システムに関する。
【背景技術】
【０００２】
インターネットにおいて利用者が自由に文書を投稿できる投稿サイトが普及している。たとえば、著名なものにＴｗｉｔｔｅｒ（登録商標）がある。このサイトは、非特許文献１に詳細な解説があるように、個々のユーザーが「ツイート」と呼ばれる短文を投稿し、これを誰でも閲覧できるコミュニケーションサービスである。
【先行技術文献】
【特許文献】
【０００３】
【非特許文献１】“Twitter 公式ナビゲーター twinavi [ツイナビ]”、［online］、平成２３年、CGM Marketing,inc、［平成２３年２月７日検索］、インターネット〈URL：http://twinavi.jp/〉
【発明の概要】
【発明が解決しようとする課題】
【０００４】
このような投稿サイトへタイムリーな文書を投稿をするためには、利用者は、その場面に応じた内容を素早く端末装置にキー入力しなければならず、利用者にとって面倒な作業であった。
【０００５】
また、上記投稿サイトにおいては、投稿する文書中に投稿のテーマを示す検索キー（ハッシュタグ）を埋め込んでおき、サイト上の同じテーマに関する投稿を検索しやすいようにすることが行われているが、各利用者が自分で考えた検索キーを埋め込むと、利用者によって検索キーの文言の選択が異なるため、同じテーマについての投稿が複数の検索キー毎のグループに別れてしまうという問題点があった。
【０００６】
この発明は、タイムリーな文書を携帯端末装置に提供することで投稿サイトへの投稿を容易にした文書投稿支援システムを提供することを目的とする。
【課題を解決するための手段】
【０００７】
この発明は、携帯端末装置と放音装置とが音響的に接続され、前記携帯端末装置とコンテンツサーバとが情報通信ネットワークで接続された文書投稿支援システムであって、前記放音装置は、音声信号化された識別情報である音響ＩＤを放音し、前記コンテンツサーバは、前記携帯端末装置からのアクセスに対応して、文書の投稿を受け付ける文書投稿サーバに投稿するための文書を含むコンテンツを前記携帯端末装置に返信し、前記携帯端末装置は、前記放音装置によって放音された音響ＩＤを収音する収音部と、収音された音響ＩＤから前記識別情報を復調する復調部と、復調された識別情報を用いて前記コンテンツサーバにアクセスし、前記コンテンツを取得するコンテンツ取得部と、取得したコンテンツに含まれていた文書を、前記文書投稿サーバに投稿する投稿処理部と、を備えたことを特徴とする。
【０００８】
また、前記携帯端末装置から前記識別情報を受信して、この識別情報に対応する前記コンテンツサーバのアドレス情報を前記携帯端末装置に返信する識別情報解決サーバをさらに設け、前記コンテンツ取得部が、前記識別情報を前記識別情報解決サーバに送信して前記コンテンツサーバのアドレス情報を取得し、取得したアドレス情報を用いて前記コンテンツサーバにアクセスするようにしてもよい。
【０００９】
また、前記携帯端末装置から前記識別情報を受信して、この識別情報に対応する前記識別情報解決サーバのアドレス情報を前記携帯端末装置に返信するポータルサーバをさらに設け、前記コンテンツ取得部が、前記識別情報を前記ポータルサーバに送信して前記識別情報解決サーバのアドレス情報を取得し、取得したアドレス情報を用いて前記識別情報解決サーバにアクセスするようにしてもよい。
【００１０】
また、コンテンツサーバが携帯端末装置に送信するコンテンツは、クーポンなどの画像およびこの画像を取得した旨の内容を含む文書などがある。また、放音装置が演奏の楽音に音響ＩＤを重畳して放音する装置である場合は、演奏の印象を表す文書をコンテンツとしてもよい。さらに、放音装置が、展示物を有する施設に設置される場合は、展示物の印象を表す文書をコンテンツとしてもよい。また、放音装置をテレビなどの受信装置としてもよく、この場合は、放送番組の印象を表す文書をコンテンツとし、放送音声に重畳される音響ＩＤにより、この文書が携帯端末に取得される。
【００１１】
また、投稿処理部に、コンテンツサーバから取得した文書を文書投稿サーバに投稿する前に編集する文書編集部を備えてもよい。
【００１２】
この発明の文書投稿支援プログラムは、携帯端末装置の制御部を、収音された音声から音声信号化された識別情報である音響ＩＤを抽出し、この音響ＩＤから前記識別情報を復調する復調手段、復調された識別情報を用いてコンテンツサーバにアクセスし、文書の投稿を受け付ける文書投稿サーバに投稿するための文書を含むコンテンツを取得するコンテンツ取得手段、取得したコンテンツに含まれていた文書を、前記文書投稿サーバに投稿する投稿処理手段、として機能させることを特徴とする。
【００１３】
なお、上の発明において、取得したコンテンツに含まれていた文書を自ら文書投稿サーバに投稿せず、文書投稿サーバに対する文書投稿機能を持つ別のプログラムに転送するようにしてもよい。
【発明の効果】
【００１４】
この発明によれば、携帯端末装置で放音装置から放音される音響ＩＤを受信することにより、投稿用の文書を取得することができるため、利用者自らのキー操作で文書を打ち込む必要がなくなり、文書投稿サーバへの投稿が容易になる。
【００１５】
また、コンテンツサーバから送信されてくる文書が、一緒に送信されるメインコンテンツに関する内容や放音装置の設置場所の雰囲気（たとえば演奏の印象や展示物の印象）に関する内容のものであるため、利用者が投稿しようとする内容の文書を先取りして利用者に提供することが可能になる。
【図面の簡単な説明】
【００１６】
【図１】この発明の実施形態である文書投稿支援システムの構成を示す図
【図２】文書投稿支援システムが適用されるショッピングセンターの概略平面図
【図３】放音装置が放音する音声の周波数分布を示す図
【図４】文書投稿支援システムを用いた文書投稿の手順を示す図
【図５】ＩＤ解決サーバが備えるＩＤ／ＵＲＬ対応テーブルおよびコンテンツサーバが備えるコンテンツデータベースの構成を示す図
【図６】放音装置のブロック図
【図７】放音装置のスピーカの設置形態を示す図
【図８】携帯端末装置のブロック図
【図９】携帯端末装置の動作を示すフローチャート
【図１０】文書投稿支援システムをテレビ放送に適用した場合のシステム構成を説明する図
【図１１】文書投稿支援システムの他の形態を説明する図
【発明を実施するための形態】
【００１７】
図面を参照してこの発明の実施形態である文書投稿支援システムについて説明する。図１は文書投稿支援システムの構成を示す図である。図２は文書投稿支援システムが適用されるショッピングモールのレイアウト例を示す図である。また、図３は、文書投稿支援システムの放音装置１が放音する音声の周波数分布を示す図である。
【００１８】
この実施形態における文書投稿支援システムは、図２に示すショッピングモール１０におけるクーポン配布システムに付属するシステムである。クーポン配布システムは、ショッピングモール１０内に１または複数の放音装置１を設置し、この放音装置１が放音する音響ＩＤを用いて、店舗１１で使用できるクーポンを配布するシステムである。文書投稿支援システムは、利用者３がクーポンを取得した旨をＴｗｉｔｔｅｒ（登録商標）などの投稿サイトに投稿しやすいように、投稿文の例文を提供するシステムである。
【００１９】
図２において、ショッピングモールに１０の１または複数の箇所に放音装置１が設置される。放音装置１のスピーカは、図７に示すような形態で設置される。放音装置１は、音響ＩＤ４２を含む音声４０を放音する。この音声４０は、図３に示すように、楽音や案内アナウンスなどの可聴帯域音声４１に非可聴帯域の音響ＩＤ４２を重畳したものが好適であるが、重畳方式はこれに限定されない。この音響ＩＤ４２が、以下説明するように、クーポンや投稿用文書を取得するための識別情報となる。
【００２０】
ショッピングモール１０を訪れる利用者３は、携帯端末装置２を携帯している。携帯端末装置２は、携帯端末装置２はたとえばスマートフォンなどで構成される。携帯端末装置２は、音声４０を収音可能で、ＩＭＴ−２０００規格（３Ｇ）やＷｉ−Ｆｉなどによりインターネット４に接続可能ものであればよくスマートフォンに限定されない。
【００２１】
図１において、携帯端末装置２は、３ＧやＷｉ−Ｆｉなどによりインターネット４に接続し、インターネット４を介してＩＤ解決サーバ５、コンテンツサーバ６および文書投稿サーバ７と通信する。ＩＤ解決サーバ５は、ＩＤ／ＵＲＬ対応テーブル５０を備え、携帯端末装置２から送られてきたＩＤコード４３（図４参照）に対応するコンテンツサーバ６のＵＲＬ４４（図４参照）を割り出して携帯端末装置２に返信する。コンテンツサーバ６は、クーポン画像を含むコンテンツを記憶したコンテンツデータベース６０を備え、携帯端末装置２から送られてきたＩＤコード４３に対応するコンテンツ４５（図４参照）を携帯端末装置２に返信する。文書投稿サーバ７は、たとえばＴｗｉｔｔｅｒ（登録商標）などの投稿サイトの投稿受付サーバであり、携帯端末装置２から送信されてきた文書を受け付けて、利用者３のアカウントの投稿としてサイトにアップロードする。
【００２２】
図４は文書投稿支援システムを用いた文書投稿の手順を示す図である。図５は、ＩＤ解決サーバ５が備えるＩＤ／ＵＲＬ対応テーブル、および、コンテンツサーバ６が備えるコンテンツデータベース６０の構成を示す図である。携帯端末装置２は、図４に示すような手順で上記ＩＤ解決サーバ５、コンテンツサーバ６および文書投稿サーバ７と通信する。
【００２３】
携帯端末装置２は、放音装置１が放音する音声４０を収音し、収音した音声から音響ＩＤ４１を抽出してこれをデコードすることによりＩＤコード４３を取得する。携帯端末装置２は、このＩＤコード４３を、インターネット４を介してＩＤ解決サーバ５に送信する。ＩＤ解決サーバ５は、受信したＩＤコード４３に対応するコンテンツサーバ６のＵＲＬ４４を選出し、このＵＲＬ４４を携帯端末装置２に返信する。この処理を行うため、ＩＤ解決サーバ５は、図５（Ａ）に示すようなＩＤ／ＵＲＬ対応テーブル５０を備えている。ＩＤ／ＵＲＬ対応テーブル５０には、携帯端末装置２から受信するＩＤコード４３と、このＩＤコード４３に対応するコンテンツサーバ６のＵＲＬ４４とが対応づけて記憶されている。ＩＤコードとＵＲＬの対応づけは、１対１であってもよく１対複数であってもよい。
【００２４】
図４において、携帯端末装置２は、受信したＵＲＬ４４を用いてコンテンツサーバ６にアクセスする。このアクセス時にＩＤコード４３も送信する。携帯端末装置２とコンテンツサーバ６との間のＩＤコード４３の送受信はどのような形態で行われてもよいが、携帯端末装置２が、ＵＲＬ４４にＩＤコード４３をクエリストリングとして付加して、コンテンツサーバ６をアクセスするようにしてもよい。
【００２５】
コンテンツサーバ６は、携帯端末装置２からアクセスがあると、受信したＩＤコード４３に基づいてコンテンツ４５選択し、このコンテンツ４５を携帯端末装置２に送信する。コンテンツ４５は、クーポンと投稿用文書からなっている。クーポンとは、ショッピングモール１０のいずれかの店舗１１で使用すると割引等の特典を得ることのできる券である。送信されるクーポンは、ＪＰＥＧなどのクーポンの画像ファイルであってもよく、インターネット４経由でクーポン画像を取得するためのＵＲＬであってもよい。また、投稿用文書は、このクーポンを取得した旨の文書であり、たとえば「○○（店名）のクーポンゲットなう」などである。コンテンツサーバ６は、複数のＩＤコード４３に対応するコンテンツを記憶したコンテンツデータベース６０を備えている。たとえば、ＩＤコード４３が複数の店舗１１に別々に設定されている場合、コンテンツサーバ６は、各店舗のＩＤコード４３にそれぞれ対応するクーポンおよび投稿用文書を記憶している。図２のショッピングモール１０の場合、入口（放音装置１）毎に異なるＩＤコードを設定しておけばよい。
【００２６】
クーポン画像および投稿用文書（テキスト）を受信した携帯端末装置２は、受信したクーポンの画像を一定時間表示したのち、受信した投稿用文書を編集する文書編集画面を表示する。利用者３は、この文書編集画面で投稿用文書を編集し、編集が完了したのち投稿操作を行う。携帯端末装置２は、投稿操作に対応して、投稿用文書を文書投稿サーバ７に送信する。利用者３は、受信した投稿用文書が編集を要しないものであればそのまま投稿操作をすることで、投稿用文書がそのまま投稿される。なお、本発明において文書を確認・編集して投稿操作を受け付ける手順は必須ではなく、受信した投稿用文書をそのまま送信するようにしてもよい。
【００２７】
このように、クーポンとともにクーポンを取得した旨の投稿用文書が携帯端末装置２にダウンロードされるため、利用者３は、極めて簡略な操作でクーポンを取得した旨をつぶやきサイト（Ｔｗｉｔｔｅｒ（登録商標）など）やブログサイトなどの文書投稿サイト７へ投稿することができる。
【００２８】
また、クーポン配布システムに上記のような文書投稿支援システムを付属させることにより、利用者３がショッピングモール１０でクーポンを取得したとき、文書投稿サイト７にその旨が投稿される頻度が高くなり、ショッピングモール１０へ行けばクーポンが取得できることをインターネット４を通じて広く告知することが可能になる。
【００２９】
図６は放音装置１の構成を示す図である。放音装置１は、ＩＤメモリ３１、変調部３２、音声再生部３３、合成部３４、増幅器３５およびスピーカ３６を備えている。ＩＤメモリ３１には上述のＩＤコード４３が記憶されている。変調部３２は、このＩＤコード４３を図３に示す非可聴帯域の周波数に変換する。変調部３２の変調方式は種々の方式を用いることが可能であるが、この実施形態では、ノイズ耐性を向上させるために、ＩＤコード４３で拡散符号を位相変調し、この位相変調された拡散符号を非可聴帯域まで周波数シフトして音響ＩＤ４２としている。この技術は、本出願人による国際特許出願（国際公開第２０１０／０１６５８９号パンフレット）に詳細に説明されている。音声再生部３３は、バックグラウンドミュージック（ＢＧＭ）などの楽音などの可聴帯域音声４１を再生する機能部である。この楽音に案内などのアナウンスを随時ミキシングしてもよい。合成部３４は、拡散変調された音響ＩＤ５２と可聴音声５１とを加算合成する機能部である。増幅器３５は合成部３４から入力された音声を適当な電力まで増幅してスピーカ３６に供給する。スピーカ３６は増幅器３５から入力された音声信号４０を音響として放音する。なお、ＩＤメモリ３１に変調（拡散）済みのＩＤコード、すなわち、音響ＩＤを記憶しておき、変調部３２を省略してもよい。
【００３０】
図７は、放音装置１のスピーカ３６の設置形態を示す図である。図３（Ａ）は、ショッピングモール１０の通路または店舗１１の天井にスピーカ３６を設置する形態である。図９（Ｂ）は、ショッピングモール１０の通路または店舗１１の壁面にスピーカ３６を設置する形態である。また、図９（Ｃ）は、スピーカ３６が埋め込まれた掲示板（サウンドサイネージ）９を店舗１１の前に設置する形態である。これらの形態において、ＩＤメモリ３１から増幅器３５までの放音装置１本体はスピーカ３６と一体であってもよく、別の場所に設けてケーブルでスピーカ３６と接続してもよい。
【００３１】
図８は携帯端末装置２のブロック図である。スマートフォン２は、制御部２０、マイク２１、ネットワーク通信部２２、表示部２３、操作部２４を備えている。制御部２０は、マイクロコンピュータで構成され、ソフトウェアとの協働により、コンテンツ取得部２５、文書編集・投稿部２６および画像表示部２７が機能的に実現される。マイク２１は、放音装置１のスピーカ３６から放音された音声４０を収音する。ネットワーク通信部２２は、インターネット４を介してＩＤ解決サーバ５、コンテンツサーバ６および文書投稿サーバ７と通信する。表示部２３は、取得したクーポン画像や投稿用文書等を表示する。また、操作部２４は、利用者３が文書の編集や投稿操作を行うための複数のキースイッチを備えている。操作部２４はタッチパネルで構成してもよい。
【００３２】
コンテンツ取得部２５は、マイク２１によって収音された音声４０から音響ＩＤ４２を抽出し、この音響ＩＤ４２からＩＤコード４３をデコードし、このＩＤコード４３を用いてＩＤ解決サーバ５およびコンテンツサーバ６にアクセスする。このアクセスにより、クーポン画像および投稿用文書を含むコンテンツ４５を取得する。ＩＤコード４３は、たとえば、音声信号（音響ＩＤ４２）を、フィルタ係数としてＩＤコード４３の拡散に用いられた拡散符号列が設定されている適合フィルタに通すことにより復調される。この復調処理の詳細は、上述の国際公開第２０１０／０１６５８９号パンフレットに記載されている。音響ＩＤのデコードは、たとえば、国際公開第２０１０／０１６５８９号パンフレットに説明されている手法を用いればよい。文書編集・投稿部２６は、コンテンツサーバ６から受信した投稿用文書を表示して利用者３による編集入力を受け付ける。また、投稿操作を受け付けて、編集が完了した文書を文書投稿サーバ７に送信する。また、画像表示部２７は、取得したクーポンの画像を表示する。コンテンツサーバ６から受信したクーポンが画像の場合にはそのまま、ＵＲＬの場合にはそのＵＲＬにアクセスしてクーポンの画像を取得して表示する。
【００３３】
なお、コンテンツ取得部２５、文書編集・投稿部２６および画像表示部２７は、ソフトウェア（プログラム）によって制御部２０上に実現されるが、コンテンツ取得部２５と文書編集・投稿部２６とは、一体のプログラムであっても別々のプログラムであってもよい。また、文書編集・投稿部２６および画像表示部２７は、ウェブブラウザに担当させることも可能である。
【００３４】
図９は携帯端末装置２が図４に示す処理を行う場合のフローチャートである。マイク２１が収音した音声信号に対するＩＤ検出処理でＩＤコード４３を検出すると（Ｓ１１）、以下の処理を実行する。まず、このＩＤコード４３をＩＤ解決サーバ５に送信し（Ｓ１２）、その返信としてコンテンツサーバ６のＵＲＬ４４を受信する（Ｓ１３）。受信したＵＲＬ４４を用いてコンテンツサーバ６にアクセスし、同時にＩＤコード４３を送信する（Ｓ１４）。これに応じてコンテンツサーバ６からコンテンツ４５が送信されてくるため、これを受信する（Ｓ１５）。ここまでがコンテンツ取得部２５の動作である。
【００３５】
コンテンツ４５を受信すると、まずクーポン画像を一定時間表示する（Ｓ１６）。コンテンツサーバ６から送られてきたクーポンが画像の場合にはそのまま表示する。コンテンツサーバ６から送られてきたクーポンがＵＲＬの場合には、そのＵＲＬにアクセスしてクーポン画像を取得し、このクーポン画像を表示する。これにより、利用者３は、どのようなクーポンを取得したかを知ることができる。これが画像表示部２７の動作である。
【００３６】
一定時間のクーポン画像表示ののち、投稿用文書を表示して、この文書に対する編集を受け付ける（Ｓ１７）。利用者３による編集入力および投稿操作を受け付けたのち（Ｓ１８）、この文書を文書投稿サーバ７に送信（投稿）する（Ｓ１９）。これにより、投稿用文書がインターネット４を介して公衆に閲覧可能になる。なお、図９の動作が終了したのち、利用者３が所定の操作を行えば、クーポン画像が再度表示される。
【００３７】
なお、投稿用文書に検索キーワード（いわゆるハッシュタグ）を含めることで、投稿された文書のグルーピングおよび検索が容易になる。なお、ハッシュタグは、「（半角スペース）＃検索キーワード（半角スペース）」の形式で投稿用文書中に埋め込めばよい。
【００３８】
なお、本実施形態では、クーポンを送信するサーバと投稿用文書を送信するサーバを同一のコンテンツサーバ６としたが、別々のサーバであっても構わない。この場合、ＩＤ解決サーバ５は、クーポン等の目的コンテンツを配信するサーバのＵＲＬ、および、それに関連した投稿用文書を配信するサーバのＵＲＬを携帯端末装置２に送信すればよい。
【００３９】
この実施形態では、文書投稿支援システムをクーポン配布システムと組み合わせてショッピングセンター１０に適用する例について説明したが、他のシステムと組み合わせてもよい。すなわち、クーポン以外のメインコンテンツ、たとえば、楽曲や特典画像などをプレゼントするシステムに適用してもよい。
【００４０】
また、上記実施形態では、文書投稿支援システムを、音響ＩＤを用いて携帯端末装置２にメインコンテンツを提供するシステムに組み合わせていたが、音響ＩＤを用いる他のシステムと組み合わせず文書投稿システム単独で実施してもよい。たとえば、ライブ会場の演奏音に音響ＩＤを重畳して、ライブの雰囲気を表現した投稿用文書を配信するシステムに用いることができる。この場合、演奏音を拡声して会場に放音するＰＡ（Ｐｕｂｌｉｃ  
【００４１】
Ａｄｄｒｅｓｓ）システムに、図６に示した放音装置１のＩＤメモリ３１、変調部３２および合成部３４を組み込み、接続／切断可能にしておく。担当者が、ライブの雰囲気を表現した投稿用文書をコンテンツサーバ６にアップロードしたとき、ＩＤメモリ３１、変調部３２および合成部３４をＰＡに接続する。これにより、会場の観衆である利用者３の携帯端末装置２に、ライブの雰囲気を表現した投稿用文書がダウンロードされる。これによって、利用者３は、ライブの雰囲気を文書投稿サイトに容易に投稿できるようになる。この構成は、ライブ会場だけでなく種々のイベント会場や映画館などにも適用することが可能である。
【００４２】
また、本発明は、商業施設や美術館、博物館などの展示施設などでその場所の雰囲気や展示物の印象の投稿を支援するシステムに適用が可能である。この場合、展示物の解説を放音する装置や、環境音やＢＧＭを放音する装置を放音装置１とすればよい。また、何ら音を流さない施設の場合には、放音装置１を図６の音声再生部３３、合成部３４を省略し、非可聴帯域の音響ＩＤのみ放音する装置を放音装置１としてもよい。
【００４３】
また更に、本発明の文書投稿支援システムをテレビ、ラジオなどの放送に適用することも可能である。すなわち、番組やＣＭなどの印象を容易に投稿できるように、視聴者である利用者３の携帯端末装置２に対して番組やＣＭなどの印象を表現した投稿用文書を配信する。
【００４４】
図１０は、文書投稿支援システムをテレビ放送に適用した場合のシステム構成を説明する図である。図１乃至図９に示した実施形態と同一構成の部分は同一番号を付して説明を省略する。
【００４５】
テレビの放送局７０は、番組やＣＭを送信するとともに、番組の各場面やＣＭの印象を表現した投稿用文書を適宜コンテンツサーバ６にアップロードする。各投稿用文書はそれぞれ所定のＩＤコード４３が付されており、放送局７０は、投稿用文書をコンテンツサーバ６にアップロードするとともに、その投稿用文書のＩＤコード４３とコンテンツサーバ６のＵＲＬ４４との組み合わせ情報をＩＤ解決サーバ５にアップロードする。このアップロード作業と並行してその番組やＣＭの放送音声に上記ＩＤコードを音声信号化した音響ＩＤを重畳する。重畳方式は、上述した国際特許出願（国際公開第２０１０／０１６５８９号パンフレット）に記載の方式でよい。
【００４６】
この放送（番組やＣＭ）は、テレビ受像機７１に受信され、映像が表示されるとともに、音声が放音される。この音声４０を携帯端末装置２が収音し、収音した音声４０から音響ＩＤ４１を抽出してこれをデコードすることによりＩＤコード４３を取得する。携帯端末装置２は、このＩＤコード４３を、インターネット４を介してＩＤ解決サーバ５に送信する。ＩＤ解決サーバ５は、放送局７０から受信した組み合わせ情報に基づき、ＩＤコード４３に対応するコンテンツサーバ６のＵＲＬ４４を選出し、このＵＲＬ４４を携帯端末装置２に返信する。
【００４７】
携帯端末装置２は、受信したＵＲＬ４４を用いてコンテンツサーバ６にアクセスする。このアクセス時にＩＤコード４３も送信する。コンテンツサーバ６は、携帯端末装置２からアクセスがあると、受信したＩＤコード４３に基づいて、先ほど放送局７０からアップロードされた投稿用文書をコンテンツ４５として選択し、このコンテンツ４５を携帯端末装置２に送信する。投稿用文書を受信した携帯端末装置２は、この投稿用文書を編集する文書編集画面を表示する。利用者３は、この文書編集画面で投稿用文書を編集し、編集が完了したのち投稿操作を行う。携帯端末装置２は、投稿操作に対応して、投稿用文書を文書投稿サーバ７に送信する。利用者３は、受信した投稿用文書が編集を要しないものであればそのまま投稿操作をすることで、投稿用文書がそのまま投稿される。なお、本発明において文書を確認・編集して投稿操作を受け付ける手順は必須ではなく、受信した投稿用文書をそのまま送信するようにしてもよい。
【００４８】
以上説明した実施形態は、図１１（Ａ）に示すような形態を例にあげて説明した。すなわち、携帯端末装置２にＩＤ解決サーバ５のＵＲＬ４６を記憶しておき、携帯端末装置２が、音響ＩＤ４２を収音してＩＤコード４３をデコードしたとき、このＩＤコード４３をＩＤ解決サーバ５に送信して、その返信として対応するコンテンツサーバ６のＵＲＬ４４を取得する。携帯端末装置２は、このＵＲＬ４４を用いてコンテンツサーバ６にアクセスすることにより、ＩＤコード４３に対応するコンテンツ４５を取得する。
本発明の文書投稿支援システムは、図１１（Ａ）に示した形態以外の形態、たとえば図１１（Ｂ）、（Ｃ）に示す形態でも実現可能てある。
【００４９】
図１１（Ｂ）の形態では、携帯端末装置２に直接コンテンツサーバ６のＵＲＬ４４を記憶しておく。携帯端末装置２が、音響ＩＤ４２音してＩＤコード４３をデコードしたとき、このＩＤコード４３をコンテンツサーバ６に送信し、その返信として対応するコンテンツ４５を取得する。
【００５０】
図１１（Ｃ）の形態では、携帯端末装置２にポータルサーバ８のＵＲＬ４７を記憶しておく。ポータルサーバ８は、文書投稿支援システムにおいて、インターネット４上に散在するコンテンツ４５を管理して利用者３に容易に取得可能にする受付サーバである。ポータルサーバ８は、携帯端末装置２からＩＤコード４３を受信し、このＩＤコード４３に対応するＩＤ解決サーバ５のＵＲＬ４６を携帯端末装置２に返信する。すなわち、携帯端末装置２が、音響ＩＤ４２を収音してＩＤコード４３をデコードしたとき、このＩＤコード４３をポータルサーバ８に送信し、その返信として対応するＩＤ解決サーバ５のＵＲＬ４６を取得する。次に、このＵＲＬ４６でＩＤ解決サーバ５にアクセスしてＩＤコード４３を送信し、その返信として対応するコンテンツサーバ６のＵＲＬ４４を取得する。携帯端末装置２は、このＵＲＬ４４を用いてコンテンツサーバ６にアクセスすることによりＩＤコード４３に対応するコンテンツ４５を取得する。
【００５１】
なお、図１１（Ｂ）、（Ｃ）の形態において、コンテンツサーバ６とＩＤ解決サーバ５が同じサーバであってもよい。
【００５２】
また、図１１（Ｂ）、（Ｃ）の形態において、ＩＤ解決サーバ５を複数設け、携帯端末装置２が複数のＩＤ解決サーバ５に順次アクセスしてコンテンツサーバ６に到達するような形態でもよく、この形態も本願の技術的範囲に含まれる。
【符号の説明】
【００５３】
１  放音装置
２  携帯端末装置
３  利用者
４  インターネット
５  ＩＤ解決サーバ
６  コンテンツサーバ
７  文書投稿サーバ
２０  制御部
【図１】
2013008109.tif 000003
【図２】
2013008109.tif 000004
【図３】
2013008109.tif 000005
【図４】
2013008109.tif 000006
【図５】
2013008109.tif 000007
【図６】
2013008109.tif 000008
【図７】
2013008109.tif 000009
【図８】
2013008109.tif 000010
【図９】
2013008109.tif 000011
【図１０】
2013008109.tif 000012
【図１１】
2013008109.tif 000013